【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
一対の電極間にＥＬ層を有する発光素子を複数有し、
第１の発光素子からの発光は、ＣＩＥ１９３１色度座標における色度ｘが０．６８０より大きく０．７２０以下、色度ｙが０．２６０以上０．３２０以下であり、
第２の発光素子からの発光は、ＣＩＥ１９３１色度座標における色度ｘが０．１３０以上０．２５０以下、色度ｙが０．７１０より大きく０．８１０以下であり、
第３の発光素子からの発光は、ＣＩＥ１９３１色度座標における色度ｘが０．１２０以上０．１７０以下、色度ｙが０．０２０以上０．０６０未満、である、発光装置。
【請求項２】
反射電極と、半透過・半反射電極と、の間にＥＬ層を有する発光素子を複数有し、
第１の発光素子からの発光は、ＣＩＥ１９３１色度座標における色度ｘが０．６８０より大きく０．７２０以下、色度ｙが０．２６０以上０．３２０以下であり、
第２の発光素子からの発光は、ＣＩＥ１９３１色度座標における色度ｘが０．１３０以上０．２５０以下、色度ｙが０．７１０より大きく０．８１０以下であり、
第３の発光素子からの発光は、ＣＩＥ１９３１色度座標における色度ｘが０．１２０以上０．１７０以下、色度ｙが０．０２０以上０．０６０未満、である、発光装置。
【請求項３】
一対の電極間にＥＬ層を有する発光素子を複数有し、
第１のカラーフィルタを介して得られる第１の発光素子からの発光は、ＣＩＥ１９３１色度座標における色度ｘが０．６８０より大きく０．７２０以下、色度ｙが０．２６０以上０．３２０以下であり、
第２のカラーフィルタを介して得られる第２の発光素子からの発光は、ＣＩＥ１９３１色度座標における色度ｘが０．１３０以上０．２５０以下、色度ｙが０．７１０より大きく０．８１０以下であり、
第３のカラーフィルタを介して得られる第３の発光素子からの発光は、ＣＩＥ１９３１色度座標における色度ｘが０．１２０以上０．１７０以下、色度ｙが０．０２０以上０．０６０未満である、発光装置。
【請求項４】
反射電極と、半透過・半反射電極と、の間にＥＬ層を有する発光素子を複数有し、
第１のカラーフィルタを介して得られる第１の発光素子からの発光は、ＣＩＥ１９３１色度座標における色度ｘが０．６８０より大きく０．７２０以下、色度ｙが０．２６０以上０．３２０以下であり、
第２のカラーフィルタを介して得られる第２の発光素子からの発光は、ＣＩＥ１９３１色度座標における色度ｘが０．１３０以上０．２５０以下、色度ｙが０．７１０より大きく０．８１０以下であり、
第３のカラーフィルタを介して得られる第３の発光素子からの発光は、ＣＩＥ１９３１色度座標における色度ｘが０．１２０以上０．１７０以下、色度ｙが０．０２０以上０．０６０未満である、発光装置。
【請求項５】
一対の電極間にＥＬ層を有する第１の発光素子、第２の発光素子、及び第３の発光素子を有し、
前記ＥＬ層は、白色発光を呈し、
第１のカラーフィルタを介して前記第１の発光素子から得られる発光は、ＣＩＥ１９３１色度座標における色度ｘが０．６８０より大きく０．７２０以下、色度ｙが０．２６０以上０．３２０以下であり、
第２のカラーフィルタを介して前記第２の発光素子から得られる発光は、ＣＩＥ１９３１色度座標における色度ｘが０．１３０以上０．２５０以下、色度ｙが０．７１０より大きく０．８１０以下であり、
第３のカラーフィルタを介して前記第３の発光素子から得られる発光は、ＣＩＥ１９３１色度座標における色度ｘが０．１２０以上０．１７０以下、色度ｙが０．０２０以上０．０６０未満である、発光装置。
【請求項６】
反射電極と、半透過・半反射電極と、の間にＥＬ層を有する第１の発光素子、第２の発光素子、及び第３の発光素子を有し、
前記ＥＬ層は、白色発光を呈し、
第１のカラーフィルタを介して前記第１の発光素子から得られる発光は、ＣＩＥ１９３１色度座標における色度ｘが０．６８０より大きく０．７２０以下、色度ｙが０．２６０以上０．３２０以下であり、
第２のカラーフィルタを介して前記第２の発光素子から得られる発光は、ＣＩＥ１９３１色度座標における色度ｘが０．１３０以上０．２５０以下、色度ｙが０．７１０より大きく０．８１０以下であり、
第３のカラーフィルタを介して前記第３の発光素子から得られる発光は、ＣＩＥ１９３１色度座標における色度ｘが０．１２０以上０．１７０以下、色度ｙが０．０２０以上０．０６０未満である、発光装置。
【請求項７】
一対の電極間にＥＬ層を有する、第１の発光素子、第２の発光素子、及び第３の発光素子を有し、
前記ＥＬ層は、電荷発生層を介して積層された第１のＥＬ層および第２のＥＬ層を有し、かつ白色発光を呈し、
前記第１のＥＬ層は、赤色発光物質と緑色発光物質とを有し、
前記第２のＥＬ層は、青色発光物質を有し、
第１のカラーフィルタを介して前記第１の発光素子から得られる発光は、ＣＩＥ１９３１色度座標における色度ｘが０．６８０より大きく０．７２０以下、色度ｙが０．２６０以上０．３２０以下であり、
第２のカラーフィルタを介して前記第２の発光素子から得られる発光は、ＣＩＥ１９３１色度座標における色度ｘが０．１３０以上０．２５０以下、色度ｙが０．７１０より大きく０．８１０以下であり、
第３のカラーフィルタを介して前記第３の発光素子から得られる発光は、ＣＩＥ１９３１色度座標における色度ｘが０．１２０以上０．１７０以下、色度ｙが０．０２０以上０．０６０未満である、発光装置。
【請求項８】
反射電極と、半透過・半反射電極と、の間にＥＬ層を有する、第１の発光素子、第２の発光素子、及び第３の発光素子を有し、
前記ＥＬ層は、電荷発生層を介して積層された第１のＥＬ層および第２のＥＬ層を有し、かつ白色発光を呈し、
前記第１のＥＬ層は、赤色発光物質と緑色発光物質とを有し、
前記第２のＥＬ層は、青色発光物質を有し、
第１のカラーフィルタを介して前記第１の発光素子から得られる発光は、ＣＩＥ１９３１色度座標における色度ｘが０．６８０より大きく０．７２０以下、色度ｙが０．２６０以上０．３２０以下であり、
第２のカラーフィルタを介して前記第２の発光素子から得られる発光は、ＣＩＥ１９３１色度座標における色度ｘが０．１３０以上０．２５０以下、色度ｙが０．７１０より大きく０．８１０以下であり、
第３のカラーフィルタを介して前記第３の発光素子から得られる発光は、ＣＩＥ１９３１色度座標における色度ｘが０．１２０以上０．１７０以下、色度ｙが０．０２０以上０．０６０未満である、発光装置。
【請求項９】
請求項３乃至請求項８のいずれか一において、
前記第１のカラーフィルタは、６００ｎｍの光の透過率が６０％以下で、かつ６５０ｎｍの光の透過率が７０％以上であり、
前記第２のカラーフィルタは、４８０ｎｍおよび５８０ｎｍの光の透過率が６０％以下で、かつ５３０ｎｍの光の透過率が７０％以上であり、
前記第３のカラーフィルタは、５１０ｎｍの光の透過率が６０％以下で、かつ４５０ｎｍの光の透過率が７０％以上である、発光装置。
【請求項１０】
請求項３乃至請求項９のいずれか一において、
前記第１のカラーフィルタを介して前記第１の発光素子から得られる発光は、発光スペクトルのピーク値が６２０ｎｍ以上６８０ｎｍ以下である、発光装置。
【請求項１１】
請求項２、請求項４、請求項６、及び請求項８のいずれか一において、
前記第１の発光素子における前記反射電極と、前記半透過・半反射電極と、の間は、赤色発光の発光強度を強める光学距離を有し、
前記第２の発光素子における前記反射電極と、前記半透過・半反射電極と、の間は、緑色発光の発光強度を強める光学距離を有し、
前記第３の発光素子における前記反射電極と、前記半透過・半反射電極と、の間は、青色発光の発光強度を強める光学距離を有する、発光装置。
【請求項１２】
請求項１乃至請求項１１のいずれか一に記載の発光装置と、操作キー、スピーカ、マイク、または、外部接続部と、を有する電子機器。